【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
配信メッセージを配信対象エリアに提供する公共サービスメッセージ配信システムであって、
前記配信対象エリア及び前記配信メッセージを含み、前記配信メッセージを受信する少なくとも一の監督用公共サービスメッセージ配信システムを規定する配信記録を受信し、前記配信メッセージ、前記配信対象エリア、前記配信メッセージ発信元識別子、及び前記配信メッセージを受信する前記少なくとも一の監督用公共サービスメッセージ配信システムを含む配信メッセージ記録を生成するように構成された配信メッセージインターフェースと、
前記配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成された配信アドミッションコントロールモジュールと、
前記有効にされた配信メッセージ記録を受信するように構成された階層的ジオフェンス配信メッセージルーティングサブシステムであって、前記監督用公共サービスメッセージ配信システムは、前記メッセージ送信に応答し、前記有効にされた配信メッセージ記録を、複数の地理的に異なるサブテンド公共サービスメッセージ配信システムに送信するように構成される
ことを特徴とするシステム。
【請求項２】
前記配信アドミッションコントロールモジュールは、配信メッセージ発信元承認パラメータに応じて前記配信メッセージ発信元の権限を検証し、前記配信メッセージの前記送信は、前記権限検証に応答することを特徴とする請求項１に記載のシステム。
【請求項３】
前記送信された配信メッセージ記録を受信し、前記配信メッセージ発信元識別子、前記配信対象エリア及び監督用公共サービスメッセージ配信システムルーティングパラメータのうちの一又は複数に応じて前記配信メッセージ記録を有効にし、前記ジオフェンス配信ルーティングパラメータを含む有効にされた配信メッセージ記録を生成するように構成された第２配信アドミッションコントロールモジュールを更に備えることを特徴とする請求項１又は２に記載のシステム。
【請求項４】
前記階層的ジオフェンス配信ルーティングサブシステムは、管轄区域コード及びメッセージ優先コードを伴う前記配信メッセージ記録にフラグを立てるように構成されることを特徴とする請求項３に記載のシステム。
【請求項５】
前記第２配信アドミッションコントロールモジュールは、前記配信メッセージ発信元の前記管轄区域権限の認証を含む前記配信メッセージ記録を有効にするように構成されることを特徴とする請求項４に記載の方法。
【請求項６】
前記第２の有効にされた配信メッセージ記録を受信するように構成された第２の階層的ジオフェンス配信メッセージルーティングサブシステムを更に備え、前記監督用公共サービスメッセージ配信システムは、前記メッセージ送信に応答し、前記配信メッセージ記録を、第２の地理的に異なるサブテンド公共サービスメッセージ配信システムに送信するように構成されることを特徴とする請求項３乃至５のいずれか一項に記載のシステム。
【請求項７】
少なくとも一の地理的に異なるジオフェンス公共サービスメッセージ配信システムへの配信メッセージの寄託及び送信を管理する公共サービスメッセージ配信システムサービス方法であって、
配信メッセージ発信元によって前記配信メッセージを生成する工程と、
前記配信対象エリアを規定する工程と、
前記配信メッセージ、前記配信対象エリア及び配信メッセージ発信元識別子を含む配信メッセージ記録を生成する工程と、
前記配信対象エリアを含む前記配信メッセージ発信元に対する前記配信メッセージ記録の権限を認証する工程と、
複数の監督用公共サービスメッセージ配信システムの中から一の監督用公共サービスメッセージ配信システムを選択する工程と、
前記認証された配信メッセージ記録を前記選択された監督用公共サービスメッセージ配信システムに送信する工程と、
第２の監督用公共サービスメッセージ配信システム、及び前記配信対象エリアのうち少なくとも一部に配信メッセージ送信サービスを提供するサブテンド公共サービスメッセージ配信システムのうちの少なくとも一方に、受理可能な配信メッセージ記録として送信のために、前記選択された監督用公共サービスメッセージ配信システムによって前記認証された配信メッセージ記録の受容性を決定する工程と、
前記受理可能な配信メッセージ記録を、第２の監督用公共サービスメッセージ配信システム及びサブテンド公共サービスメッセージ配信システムのうちの少なくとも一方に送信する工程と
を備えることを特徴とする方法。
【請求項８】
第２の監督用公共サービスメッセージ配信システムによって前記寄託された配信メッセージ記録の受容性を決定する工程と、前記配信対象エリアの少なくとも一部内における複数の配信メッセージ受信手段に、メッセージ配信サービスを提供する供給された配信メッセージ送信ネットワークへの送信のために、前記配信対象エリアのうちの少なくとも一部に配信メッセージ送信サービスを提供するサブテンド公共サービスメッセージ配信システムに、前記受理可能な配信メッセージ記録を送信する工程とを更に備えることを特徴とする請求項７に記載の方法。
【請求項９】
前記配信対象エリアの少なくとも一部内における複数の配信メッセージ受信手段に、メッセージ配信送信サービスを提供する供給された配信メッセージ送信ネットワークへの送信のために、前記配信対象エリアの少なくとも一部に配信メッセージ送信サービスを提供する前記サブテンド公共サービスメッセージ配信システムによって、前記寄託された配信メッセージ記録を有効にする工程を更に備えることを特徴とする請求項７又は８に記載の方法。
【請求項１０】
前記配信メッセージ記録を有効にする工程は、配信メッセージ発信元識別子、前記配信対象エリア、及び前記配信対象エリアの少なくとも一部に、前記メッセージを配信するように構成された配信送信ネットワークに関連する配信メッセージ送信ネットワークパラメータのうちの一又は複数に応じて有効にする工程を含むことを特徴とする請求項９に記載の方法。
【請求項１１】
配信メッセージ記録を生成する工程は、管轄区域コード及びメッセージ優先コード伴う前記配信メッセージ記録にフラグを立てる工程を含むことを特徴とする請求項７乃至１０のいずれか一項に記載の方法。
【請求項１２】
前記配信メッセージ記録を認証する工程は、前記配信メッセージ発信元の管轄区域権限を認証する工程を含むことを特徴とする請求項７乃至１１のいずれか一項に記載の方法。
【請求項１３】
前記寄託された配信メッセージ記録の受容性を決定する工程は、監督用公共サービスメッセージ配信システム配信メッセージ送信決定フラグを前記配信メッセージ記録に付加する工程を含むことを特徴とする請求項７乃至１２のいずれか一項に記載の方法。
【請求項１４】
サブテンド公共サービスメッセージ配信システムメッセージ送信決定フラグを前記配信メッセージ記録に付加する工程を含む前記サブテンド公共サービスメッセージ配信システムによって、第２監督用公共サービスメッセージ配信システムから、前記寄託された配信メッセージ記録の前記受容性を決定する工程を特徴とする請求項７乃至１３のいずれか一項に記載の方法。
【請求項１５】
前記選択された監督用公共サービスメッセージ配信システムは、国際的な公共サービスメッセージ配信システムであり、領域公共サービスメッセージ配信システム及び前記サブテンド公共サービスメッセージ配信システムを含み、国営公共サービスメッセージ配信システムである第２の監督用公共サービスメッセージ配信システムを選択する工程を更に備えることを特徴とする請求項７乃至１４のいずれか一項に記載の方法。
【請求項１６】
前記選択された監督用公共サービスメッセージ配信システムは、領域公共サービスメッセージ配信システムであり、国営公共サービスメッセージ配信システム及び前記サブテンド公共サービスメッセージ配信システムを含み、州又は自治州の公共サービスメッセージ配信システムである第２の監督用公共サービスメッセージ配信システムを選択する工程を更に備えることを特徴とする請求項７乃至１４のいずれか一項に記載の方法。
【請求項１７】
前記選択された監督用公共サービスメッセージ配信システムは、国営公共サービスメッセージ配信システムであり、州又は自治州の公共サービスメッセージ配信システム及び前記サブテンド公共サービスメッセージ配信システムを含み、地域公共サービスメッセージ配信システムである第２の監督用公共サービスメッセージ配信システムを選択する工程を更に備えることを特徴とする請求項７乃至１４のいずれか一項に記載の方法。
【請求項１８】
配信メッセージを配信対象エリアに提供する公共サービスメッセージ配信システムであって、
前記配信メッセージ、前記配信対象エリア及び配信メッセージ発信元識別子を含む配信メッセージ記録を受信し、前記配信メッセージを受信する二つの地理的に異なるピア公共サービスメッセージ配信システムを識別し、前記配信メッセージ、前記配信対象エリア、前記配信エージェント識別子、及び前記配信対象エリアの少なくとも一部に、前記受信した配信メッセージを送信するように夫々構成された前記少なくとも一の地理的に異なるピア公共サービスメッセージ配信システムを含む配信メッセージ記録を生成するように構成された配信メッセージインターフェースと、
前記配信メッセージ記録を受信し、前記配信メッセージ発信元識別子、前記配信対象エリアの少なくとも一部及び一以上の地理的に異なるピア公共サービスメッセージ配信システムのうちの一又は複数に応じて前記配信メッセージ記録を有効にするように構成された第１配信アドミッションコントロールモジュールと、
有効にされた配信メッセージを、地理的に異なるピア公共サービスメッセージ配信システムに関連する第２配信アドミッションコントロールモジュールに送信するように構成された第１ピアジオフェンス配信メッセージルーティングサブシステムと、
前記送信された配信メッセージ記録を受信し、前記配信メッセージ発信元識別子、前記第２配信アドミッションモジュールに関連する前記配信対象エリアの少なくとも一部及び前記第２配信アドミッションコントロールモジュールを伴う配信メッセージ送信ネットワークのうちの一又は複数に応じて前記配信メッセージ記録を有効にするように構成された第２配信アドミッションコントロールモジュールと
を備えることを特徴とするシステム。